(57)【要約】【課題】料理やお菓子作りをするとき、粉粒体の取り出し，移動，すり切り計量などをスプーンで行う際に生じる「粉粒体の溢し」や「粉粒体の撒き散らし」を防ぎ、粉粒体のすり切り計量を簡便化し、ヘラ状キッチンツールの準備や後始末の手間を軽減することを目的としたヘラ付きスプーンを提供する。【解決手段】シャモジ状に成形した平板を単独使用可能な多機能ヘラとして装備し、多機能ヘラを模した形状を有する平板状の本体柄部の一方に大さじ一杯に相当する容量器を設け、他方に小さじ一杯に相当する容量器を設け、本体柄部の全体が角筒の一面を構成する変則的な角筒状の空間であるヘラ保持ポケットを設け、その上面に長穴形状の指穴を設け、多機能ヘラの収納と両容量器間に於ける多機能ヘラの往来を可能としたことを特徴とするヘラ付きスプーン。【選択図】図１
2015078971.tif 000002
【特許請求の範囲】
【請求項１】
シャモジ状に成形した平板を単独使用可能な多機能ヘラとして装備し、多機能ヘラを模した形状を有する平板状の本体柄部の一方に大さじ一杯に相当する容量器を設け、他方に小さじ一杯に相当する容量器を設け、本体柄部の全体が角筒の一面を構成する変則的な角筒状の空間であるヘラ保持ポケットを設け、その上面に長穴形状の指穴を設け、多機能ヘラの収納と両容量器間に於ける多機能ヘラの往来を可能としたことを特徴とするヘラ付きスプーン。
【請求項２】
大さじ一杯に相当する容量器または小さじ一杯に相当する容量器のどちらか一方のみを設けた請求項１記載のヘラ付きスプーン。
【発明の詳細な説明】
【技術分野】
【０００１】  本発明は、料理やお菓子作りをするとき、粉粒体の取り出し，移動，すり切り計量などをスプーンで行う際に生じる「粉粒体の溢し」や「粉粒体の撒き散らし」を防ぎ、粉粒体のすり切り計量を簡便化し、ヘラ状キッチンツールの準備や後始末の手間を軽減することを目的としたヘラ付きスプーンに関するものである。
【背景技術】
【０００２】  従来、料理やお菓子を作るとき、計量スプーンと共に、すり切り用のヘラ，シャモジ，スパチュラなど、ヘラ状のキッチンツールをそれぞれ用途別に使用する。また、乳児用のミルクを調乳する場合や、粉末プロテイン，粉末飲料などの飲み物を作る場合、さらに塩，砂糖などの粉末調味料や小麦粉，コーンスターチ，粉末スキムミルクなどの粉末食材を料理に使う場合、缶，袋，パウチなどの容器から対象粉粒体をスプーンなどで直接掬い取り、哺乳瓶，カップ，鍋，ボウルなど食器や調理器具にそのまま投入したり、必要に応じてすり切り用のヘラですり切り計量して投入したりという状況にある。
従来の計量スプーンとしては、「大さじと小さじが一体化された計量スプーン」や「容量別のスプーン数本とすり切り用のヘラをセットにしたもの」が主流で提供されており、少数派では、「容量を調節できる計量スプーン」等が提供されている。
また、計量スプーンに複数の穴を有するスライド式のすり切り板を設けることで、対象物（粉粒体）をすり切り計量かつ食材に均等に振り掛けることができる計量スプーンという発明が知られている（特許文献１）。
【先行技術文献】
【特許文献】
【０００３】
【特許文献１】特開２００３−８３７９２号公報
【発明の概要】
【発明が解決しようとする課題】
【０００４】    そのため、次のような問題点があった。
（イ）料理やお菓子作りをするとき、計量スプーンと共に、すり切り用のヘラ，シャモジ，スパチュラなど、ヘラ状のキッチンツールをそれぞれ用途別に使用するため、準備や後片付けに手間がかかり煩わしい。
（ロ）粉末プロテイン，粉末飲料などの飲み物を作る場合、さらに塩，砂糖などの粉末調味料や小麦粉，コーンスターチ，粉末スキムミルクなどの粉末食材を料理に使う場合など、缶，袋，パウチなどの容器から対象粉粒体を直接スプーンなどで掬い取り、カップ，鍋，ボウルなど食器や調理器具に移すとき、缶，袋，パウチなどの容器の淵にスプーンが過って触れて対象粉粒体を溢す心配や、手元を過って揺らし対象粉粒体を周囲に撒き散らす心配がある。
（ハ）乳児用のミルクを調乳する場合や粉末プロテイン，粉末飲料などの飲み物を計量する場合、さらに塩，砂糖などの粉末調味料や小麦粉，コーンスターチ，粉末スキムミルクなどの計量を行う場合、一方にすり切り用のヘラ、他方に対象粉粒体の入った計量スプーンを水平に持つという体勢で、両手ですり切り計量をせざるを得ない。また、その際に対象粉粒体を周囲に撒き散らす心配がある。
（ニ）特許文献１の場合、粉粒体の調味料などを均等に振り掛ける構造であり、上述の過程で、こぼしや撒き散らしが起こる心配がある。
（ホ）特許文献１の場合、上述の計量スプーン等と同様に、常時水平に保たなければ、粉粒体のすり切り計量ができない。
（ヘ）特許文献１の場合、すり切り板は、すり切り，振り掛けなどの計量スプーンの補助機能としてのみ有効であり、その他の目的で取り外して単独使用できない。
本発明は、以上の問題点を解決しようとするものである。
【課題を解決するための手段】
【０００５】  シャモジ状に成形した平板を単独使用可能な多機能ヘラとして装備し、多機能ヘラを模した形状を有する平板状の本体柄部の一方に大さじ一杯に相当する容量器を設け、他方に小さじ一杯に相当する容量器を設け、本体柄部の全体が角筒の一面を構成する変則的な角筒状の空間であるヘラ保持ポケットを設け、その上面に長穴形状の指穴を設け、多機能ヘラの収納と両容量器間に於ける多機能ヘラの往来を可能としたことを特徴とするヘラ付きスプーンである。
【発明の効果】
【０００６】  本発明は、液体及び粉粒体の容量を計量可能であり、片手で簡単にすり切り計量ができる。また、必ずしも水平に保たずとも缶，袋，パウチなどの容器内で対象粉粒体のすり切り計量が可能で、対象粉粒体を溢すことなく取り出せる。
同時に、周囲に撒き散らすことなくカップ，鍋，ボウルなど食器や調理器具に移すことができる。
さらに、着脱可能なヘラは、混ぜる，よそう，削ぎ取るなどの用途に応じて、シャモジ，スパチュラなどのヘラ状キッチンツールの代用品として単独使用可能なので、ヘラ状のキッチンツールの準備や後片付けにかかる手間が軽減できる。
また、スプーンとヘラという用途の異なるツールを一体化した状態で、コンパクトに収納可能。
以上の利点によって、料理やお菓子作りがスムーズに効率よくできる。
【図面の簡単な説明】
【０００７】
【図１】本発明の斜視図
【図２】本発明の分解斜視図
【図３】本発明の使用手順を示し  （ａ）は本発明の粉粒体を掬い取った状態斜視図。（ｂ）は本発明の多機能ヘラを滑動する途中を示した状態斜視図。（ｃ）は本発明のすり切りを終えた状態斜視図。
【発明を実施するための形態】
【０００８】  以下、本発明の実施の形態を説明する。
（イ）本体（１）と多機能ヘラ（７）とで構成する。
（ロ）本体（１）は、容量器１（２），容量器２（３），本体柄部（４），ヘラ保持ポケット（５）からなる。
（ハ）容量器１（２）は、大さじ一杯の容量を持つ大きさ。
（ニ）容量器２（３）は、小さじ一杯の容量を持つ大きさ。
（ホ）本体柄部（４）は平板状で、多機能ヘラ（７）を模した形状を持たせ、ヘラ部１（８）は容量器１（２）にヘラ部２（９）は容量器２（３）に向きを対応させる。ヘラ部２（９）を容量器２（３）の開口部に合わせて塞いだとき、容量器１（２）の開口部が完全に開くように長さを設定する。
（ヘ）多機能ヘラ（７）を収納するためのヘラ保持ポケット（５）は、本体柄部（４）の全体が角筒の一面を構成する変則的な角筒状の空間で、本体柄部（４）と同様に多機能ヘラ（７）を模した大きさと形状を持たせる。その上面に、幅方向に対して中央、長手方向に対してほぼ中央から容量器１（２）側にかけて、親指大幅の長穴形状の指穴（６）を設けることで、ヘラ部１（８）は容量器１（２）にヘラ部２（９）は容量器２（３）に対応するように多機能ヘラ（７）をヘラ保持ポケット（５）に挿入した時に、本体柄部（４）及びヘラ保持ポケット（５）を握った状態で、親指を使って多機能ヘラ（７）を長手方向前後に往来させることを可能とする。
（ト）本体（１）の構成部品の位置関係は、本体柄部（４）のそれぞれ対応する端部に容量器１（２）と容量器２（３）を、それぞれの開口部が本体柄部（４）と水平になるように接続させる。それぞれの開口部側を上向きとし、本体柄部（４）の上にヘラ保持ポケット（５）を対応させて載せる。
（チ）多機能ヘラ（７）は、ヘラ部１（８），ヘラ部２（９），ヘラ柄部（１０）からなる平板。ヘラ部１（８）は容量器１（２）の開口部を、ヘラ部２（９）は容量器２（３）の開口部を、それぞれ完全に塞ぐことができるように、それぞれに対応した大きさと形状を有したシャモジ状に成形し、ヘラ柄部（１０）は持ちやすい長さに設定する。
本発明は、以上の構成よりなっている。
【０００９】  本発明を使用する場合、粉粒体計量時に於いては、基本的持ち方として、親指が指穴（６）に当たるように本体柄部（４）及びヘラ保持ポケット（５）を握って持つ。すり切り計量には二通りの方法がある。
一つ目は、従来と同様に、缶，袋，パウチなどの容器外で行う方法で、容量器１（２）または容量器２（３）のどちらか所望する側の開口部が完全に開くように、指穴（６）を通じて親指で多機能ヘラ（７）を滑動させて他方に寄せる。容器内にある対象粉粒体を掬って取り出した後、水平を保ちつつ掬った側に多機能ヘラ（７）を同様に滑動させて、すり切り計量を行う。
二つ目は、容器内で行う方法で、一つ目と同様に多機能ヘラ（７）を所望しない方に寄せる。容器内にある対象粉粒体に所望の容量器１（２）または容量器２（３）全体が埋まるように差し込んだ状態のまま、指穴（６）を通じて差し込んだ側に多機能ヘラ（７）を親指で滑動させる。所望の容量器１（２）または容量器２（３）の開口部を完全に覆った状態にすることで、すり切り計量を行うと同時に、溢すことなく撒き散らすことなく対象粉粒体を取り出し移動させることができる。
液体計量時に於いては、多機能ヘラ（７）を取り外した状態で、本体柄部（４）及びヘラ保持ポケット（５）を握って持ち、水平を保った状態で対象液体を注いで計量する。
最後に、多機能ヘラ（７）を単独使用する場合は、多機能ヘラ（７）をヘラ保持ポケット（５）から取り外し、シャモジ，スパチュラ等々の用途と同様に使用する。
【符号の説明】
【００１０】  １    本体
２    容量器１
３    容量器２
４    本体柄部
５    ヘラ保持ポケット
６    指穴
７    多機能ヘラ
８    ヘラ部１
９    ヘラ部２
１０  ヘラ柄部
【図１】
2015078971.tif 000003
【図２】
2015078971.tif 000004
【図３】
2015078971.tif 000005